(57)【要約】【課題】ユーザに、撮影シーンに適した複数の画像処理の中から所望の画像処理を選択させること。【解決手段】撮像装置１は、被写体像を撮像する撮像手段１２と、撮像手段１２により撮像された撮像画像における撮影シーンを判別するシーン判別手段１４ｅと、シーン判別手段１４ｅにより判別された撮影シーンに応じた所定の複数の画像処理の中から少なくとも１つの画像処理を選択する画像処理選択手段１４ｃと、撮像画像に対して、画像処理選択手段１４ｃにより選択された画像処理を施す画像処理手段１４ｄと、を備える。【選択図】図１
2018207531.tif 000002
【特許請求の範囲】
【請求項１】
画像データに複数の画像処理を行う画像処理部と、
前記画像処理部による画像処理を選択するための選択部とを備え、
前記画像処理部は、前記選択部の位置に基づいて、複数の画像処理のうち少なくとも２つの画像処理を選択して、前記画像データに選択した画像処理を行う画像処理装置。
【請求項２】
請求項１に記載の画像処理装置において、
前記画像処理部は、前記選択部の位置に基づいて、選択した画像処理のうち少なくとも１つの画像処理の比率を変更して画像処理を行う画像処理装置。
【請求項３】
請求項１または２に記載の画像処理装置において、
前記画像処理部は、第１画像処理および第２画像処理を行い、前記選択部の位置に基づいて、第１画像処理および第２画像処理の少なくとも１方の比率を変更して画像処理を行う画像処理装置。
【請求項４】
請求項３に記載の画像処理装置において、
前記選択部は、前記画像処理部による画像処理を選択するために、第１の位置および第２の位置、および前記第１の位置と前記第２の位置との間にある第３の位置に移動可能であり、
前記画像処理部は、前記選択部が前記第３の位置にあると、前記第１画像処理および前記第２画像処理を行う画像処理装置。
【請求項５】
請求項４に記載の画像処理装置において、
前記画像処理部は、前記第３の位置が、前記第２の位置より前記第１の位置に近いほど前記第１画像処理の比率を前記第２画像処理の比率よりも高くして画像処理を行い、前記第１の位置より前記第２の位置に近いほど前記第２画像処理の比率を前記第１画像処理の比率よりも高くして画像処理を行う画像処理装置。
【請求項６】
請求項４から５のいずれか一項に記載の画像処理装置において、
前記画像処理部は、前記選択部が、前記第１の位置にあると前記第１画像処理を行い、前記第２の位置にあると前記第２画像処理を行う画像処理装置。
【請求項７】
請求項１に記載の画像処理装置において、
前記画像処理部は、第１画像処理および第２画像処理および第３画像処理を行い、
前記画像処理部は、前記選択部の位置に基づいて、第１画像処理および第２画像処理、または第２画像処理および第３画像処理を選択して、前記画像データに選択した画像処理を行う画像処理装置。
【請求項８】
請求項７に記載の画像処理装置において、
前記画像処理部は、前記選択部の位置に基づいて、第１画像処理および第２画像処理のうち少なくとも１つの画像処理の比率、または第２画像処理および第３画像処理のうち少なくとも１つの画像処理の比率を変更して画像処理を行う画像処理装置。
【請求項９】
請求項７または８に記載の画像処理装置において、
前記選択部は、前記画像処理部による画像処理を選択するために、第１の位置および第２の位置、および前記第１の位置と前記第２の位置との間にある第３の位置、および前記第１の位置と前記第３の位置との間にある第４の位置、および前記第２の位置と前記第３の位置との間にある第５の位置に移動可能であり、
前記画像処理部は、前記選択部が前記第４の位置にあると前記第１画像処理および前記第２画像処理を行い、前記選択部が前記第５の位置にあると前記第２画像処理および前記第３画像処理を行う画像処理装置。
【請求項１０】
請求項９に記載の画像処理装置において、
前記画像処理部は、前記第４の位置が、前記第３の位置より前記第１の位置に近いほど前記第１画像処理の比率を前記第２画像処理の比率よりも高くして画像処理を行い、前記第１の位置より前記第３の位置に近いほど前記第２画像処理の比率を前記第１画像処理の比率よりも高くして画像処理を行う画像処理装置。
【請求項１１】
請求項９または１０に記載の画像処理装置において、
前記画像処理部は、前記第５の位置が、前記第２の位置より前記第３の位置に近いほど前記第２画像処理の比率を前記第３画像処理の比率よりも高くして画像処理を行い、前記第３の位置より前記第２の位置に近いほど前記第３画像処理の比率を前記第２画像処理の比率よりも高くして画像処理を行う画像処理装置。
【請求項１２】
請求項９から１１のいずれか一項に記載の画像処理装置において、
前記画像処理部は、前記選択部が、前記第１の位置にあると前記第１画像処理を行い、前記第３の位置にあると前記第２画像処理を行い、前記第２の位置にあると前記第３画像処理を行う画像処理装置。
【請求項１３】
請求項１から１２のいずれか一項に記載の画像処理装置において、
シーンを判別する判別部を備え、
前記画像処理部は、前記判別部により判別されたシーンによって、複数の画像処理を異ならせる画像処理装置。
【請求項１４】
請求項１から１３のいずれか一項に記載の画像処理装置と、
撮像を行って前記画像データを出力する撮像部とを備える撮像装置。
【請求項１５】
画像データに複数の画像処理を行う第１処理と、
前記第１処理で行う画像処理を選択する第２処理と、をコンピュータに実行させる画像処理プログラムであって、
前記第２処理は、選択部の位置に基づいて、複数の画像処理のうち少なくとも２つの画像処理を選択し、前記第１処理は、前記画像データに前記選択された画像処理を行う、画像処理プログラム。
【発明の詳細な説明】
【技術分野】
【０００１】
本発明は、画像処理装置、撮像装置、および画像処理プログラムに関する。
【背景技術】
【０００２】
複数用意された画像効果の中から使用する１以上の画像効果をユーザが選択するためのメニューとして、画像効果を複数選択できるように画像効果を示す項目を配列して表示するデジタルカメラが知られている（特許文献１参照）。
【先行技術文献】
【特許文献】
【０００３】
【特許文献１】特開２０１２−１２４６０８号公報
【発明の概要】
【発明が解決しようとする課題】
【０００４】
ユーザが複数の画像処理の中から撮影シーンに適した画像処理を選択するには、複数の画像処理の内容に関する知識が必要であるため、初心者のユーザにとっては撮影シーンに適した画像処理の選択が難しかった。
【課題を解決するための手段】
【０００５】
本発明の第１の態様による画像処理装置は、画像データに複数の画像処理を行う画像処理部と、前記画像処理部による画像処理を選択するための選択部とを備え、前記画像処理部は、前記選択部の位置に基づいて、複数の画像処理のうち少なくとも２つの画像処理を選択して、前記画像データに選択した画像処理を行う。
本発明の第２の態様による撮像装置は、第１の態様による画像処理装置と、撮像を行って前記画像データを出力する撮像部とを備える。
本発明の第３の態様による画像処理プログラムは、画像データに複数の画像処理を行う第１処理と、前記第１処理で行う画像処理を選択する第２処理とをコンピュータに実行させ、前記第２処理は、選択部の位置に基づいて、複数の画像処理のうち少なくとも２つの画像処理を選択し、前記第１処理は、前記画像データに前記選択された画像処理を行う。
【発明の効果】
【０００６】
本発明によれば、ユーザに、撮影シーンに適した複数の画像処理の中から所望の画像処理を選択させることができる。
【図面の簡単な説明】
【０００７】
【図１】本発明の一実施の形態によるデジタルカメラの構成例を説明するブロック図である。
【図２】表示画面の一例を説明する図である。
【図３】カーソルの位置に応じた画像処理を説明する図である。
【図４】撮影シーンに応じた画像処理の組合せを説明する図である。
【図５】静止画撮影における処理の流れを説明するフローチャートである。
【図６】カーソルの位置に応じた画像処理の流れを説明するフローチャートである。
【図７】動画撮影における処理の流れを説明するフローチャートである。
【図８】変形例１における処理の流れを説明するフローチャートである。
【図９】変形例１における表示画面の一例を説明する図である。
【図１０】変形例４における表示画面の一例を説明する図である。
【図１１】変形例５における表示画面の一例を説明する図である。
【図１２】変形例６における表示画面の一例を説明する図である。
【図１３】プログラムの提供の様子を説明する図である。
【発明を実施するための形態】
【０００８】
以下、図面を参照して本発明の一実施形態について説明する。図１は、本実施形態に係るデジタルカメラ１の構成を示すブロック図である。デジタルカメラ１は、撮像光学系１１と、撮像素子１２と、レンズ駆動回路１３と、制御部１４と、操作部材１６と、表示部１７とを備えている。デジタルカメラ１には、例えばメモリカードなどの記録媒体１８が着脱可能である。
【０００９】
撮像光学系１１は、ズームレンズやフォーカシングレンズを含む複数のレンズ群で構成され、被写体像を撮像素子１２の受光面に結像させる。なお、図１を簡単にするため、撮像光学系１１を単レンズとして図示している。
【００１０】
レンズ駆動回路１３は、制御部１４の制御のもと、撮像光学系１１のズームレンズを駆動して焦点距離を調節するとともに、撮像光学系１１のフォーカシングレンズを駆動して焦点調節を行う。
【００１１】
撮像素子１２は、例えばＣＭＯＳ撮像素子などのイメージセンサであり、撮像光学系１１により結像した被写体像を撮像して、得られた画像信号を制御部１４へ出力する。
【００１２】
制御部１４は、表示制御部１４ａ、位置選択部１４ｂ、画像処理選択部１４ｃ、画像処理部１４ｄ、シーン判別部１４ｅを有する。制御部１４は、ＣＰＵ、メモリ、およびその周辺回路から構成され、メモリに格納された制御プログラムを実行することにより、これらの各部の機能を実現している。各部の機能の内容については、後で詳しく説明する。
【００１３】
操作部材１６は、シャッターボタン１６ａ、録画ボタン１６ｂ、およびロータリーマルチセレクター１６ｃを含む。また、操作部材１６は、この他、モード切替ボタン、十字キー、ＯＫボタン、ディスプレイボタンなどを含む。操作部材１６は、各操作部材が操作されると、その操作に応じた操作信号を制御部１４へ出力する。
【００１４】
表示部１７は、デジタルカメラ１の背面に搭載された液晶モニタ（背面モニタ）等で構成され、撮像素子１２で撮像された撮像画像や各種設定メニューなどが表示される。
【００１５】
操作部材１６からの操作信号に応じて静止画撮影モードまたは動画撮影モードに設定されると、制御部１４は、撮像素子１２に所定のフレームレートでスルー画用の撮像処理を行わせ、撮像素子１２から時系列で得られる各フレーム画像から表示用のフレーム画像を生成して表示部１７に出力する。これによって表示部１７には、スルー画がリアルタイムで表示される。
【００１６】
静止画撮影モードにおいてシャッターボタン１６ａが全押し操作されて静止画の撮影が指示されると、制御部１４は、撮像素子１２に静止画用の撮像処理を行わせ、撮像素子１２から取得した画像信号に対して所定の画像処理を行って静止画データを生成し、ＪＰＥＧなどの所定の方式により圧縮処理を行って、記録媒体１８に記録する。
【００１７】
動画撮影モードにおいて録画ボタン１６ｂが操作されて動画の撮影開始が指示されると、制御部１４は、撮像素子１２に動画用の撮像処理を開始させ、撮像素子１２から出力された各フレームの画像信号に対して所定の画像処理を行う。そして、制御部１４は、画像処理後の画像データをＭＰＥＧ形式やＭｏｔｉｏｎＪＰＥＧなどの圧縮画像データに圧縮し、その圧縮画像データを記録媒体１８に記録する。そして、再度録画ボタン１６ｂが操作されて動画の撮影終了が指示されると、制御部１４は、動画の撮影終了時点までの圧縮画像データを記録媒体１８に記録し、動画ファイルを完成させる。
【００１８】
また、操作部材１６からの操作信号に応じて再生モードに設定されると、制御部１４は、記録媒体１８に記録された静止画データまたは動画データを読み出して再生し、表示部１７に表示する。
【００１９】
本実施形態のデジタルカメラ１では、撮影モードとして、通常モードの他に、種々の画像処理を施した撮像画像を得ることのできるクリエイティブモードが設けられている。以下、このクリエイティブモードについて説明する。
【００２０】
図２は、クリエイティブモードにおける表示画面の一例を説明する図である。クリエイティブモードにおいて、制御部１４の表示制御部１４ａは、スルー画を表示部１７に表示する。また、表示制御部１４ａは、撮像画像に施す画像処理を選択するための画像（以下、リング画像と表記する）５０をスルー画に重ねて表示する。リング画像５０は、リング５１とカーソル５２とを表示する画像である。カーソル５２は、リング５１上において、制御部１４の位置選択部１４ｂにより現在選択されている位置を示す。位置選択部１４ｂは、ユーザによりロータリーマルチセレクター１６ｃが回転操作されると、その回転操作に応じて、カーソル５２の表示位置（すなわち選択位置）をリング５１に沿って移動させる。たとえば、ロータリーマルチセレクター１６ｃが時計周りに回転操作されると、位置選択部１４ｂは、カーソル５２をリング５１上で時計周りに所定の速度で移動させる。一方、ロータリーマルチセレクター１６ｃが反時計周りに回転操作されると、位置選択部１４ｂは、カーソル５２をリング５１上で反時計周りに所定の速度で移動させる。
【００２１】
制御部１４の画像処理選択部１４ｃは、位置選択部１４ｂによって選択されている位置、すなわちカーソル５２の位置に応じて、所定の４つの画像処理（以下、第１画像処理〜第４画像処理と表記する）の中から撮像画像に施す画像処理を選択する。なお、第１画像処理〜第４画像処理の具体的な内容については後述する。制御部１４の画像処理部１４ｄは、画像処理選択部１４ｃにより選択された画像処理を撮像画像に施す。表示制御部１４ａは、画像処理部１４ｄにより画像処理が施された撮像画像を、スルー画として表示部１７に表示する。
【００２２】
このようにデジタルカメラ１では、ユーザがロータリーマルチセレクター１６ｃを回転操作してカーソル５２の位置を移動させることで撮像画像に施す画像処理を選択することができ、選択した画像処理が施された撮像画像を、スルー画によってリアルタイムで確認することができる。そして、デジタルカメラ１では、ユーザが、ロータリーマルチセレクター１６ｃを回転操作して撮像画像に施す画像処理を所望の画像処理に変更した後、シャッターボタン１６ａまたは録画ボタン１６ｂを押下することで、所望の画像処理を施した静止画データまたは動画データを記録することができるようになっている。
【００２３】
リング画像５０には、リング５１の頂上地点Ｐ０から時計周りに第０位置〜第６５位置の６６か所の位置が設定されており、その位置を示す目盛がリング５１の内側に表示されている。リング５１の頂上地点Ｐ０が第０位置であり、その右隣の位置Ｐ１が第１位置である。第０位置Ｐ０から時計周りに９０度離れた位置Ｐ１７が第１７位置である。第１位置Ｐ１から第１７位置Ｐ１７の間には、第２位置〜第１６位置の１５か所の位置が等間隔に設定される。第０位置Ｐ０から１８０度離れた位置Ｐ３３が第３３位置である。第１７位置Ｐ１７から第３３位置Ｐ３３の間には、第１８位置〜第３２位置の１５か所の位置が等間隔に設定される。第０位置Ｐ０から時計周りに２７０度離れた位置Ｐ４９が第４９位置である。第３３位置Ｐ３３から第４９位置Ｐ４９の間には、第３４位置〜第４８位置の１５か所の位置が等間隔に設定される。第０位置Ｐ０の左隣の位置Ｐ６５は第６５位置である。第４９位置Ｐ４９から第６５位置Ｐ６５の間には、第５０位置〜第６４位置の１５か所の位置が等間隔に設定される。図３は、各位置において選択される画像処理を説明する図である。図３では、０〜６５の番号が第０位置〜第６５位置を示し、番号の下にその番号が示す位置において選択される画像処理を記載している。
【００２４】
クリエイティブモードを開始した時点では、リング５１の頂上地点（第０位置）Ｐ０にカーソル５２が表示される。このとき、画像処理選択部１４ｃは、第１画像処理〜第４画像処理のいずれも選択しない。ゆえに、画像処理部１４ｄは、撮像画像に対してこれら第１画像処理〜第４画像処理を行わない。したがって、表示部１７には、第１画像処理〜第４画像処理のいずれも施していない状態の撮像画像、すなわち元画像が表示される。
【００２５】
カーソル５２が第０位置Ｐ０の右隣の第１位置Ｐ１にある場合、画像処理選択部１４ｃは第１画像処理のみを選択し、画像処理部１４ｄは当該選択された第１画像処理のみを撮像画像に施す。したがって、カーソル５２が第０位置Ｐ０から第１位置Ｐ１に時計周りに移動すると、表示部１７に表示されるスルー画は、元画像の状態から第１画像処理のみを施した状態へと変化する。
【００２６】
カーソル５２が第０位置Ｐ０から時計周りに９０度離れた第１７位置Ｐ１７にある場合、画像処理選択部１４ｃは第２画像処理のみを選択し、画像処理部１４ｄは当該選択された第２画像処理のみを撮像画像に施す。したがって、カーソル５２が第１位置Ｐ１から第１７位置Ｐ１７へと時計周りに移動すると、表示部１７に表示されるスルー画は、第１画像処理のみを施した状態から第２画像処理のみを施した状態へと変化する。このとき、表示部１７に表示されるスルー画は、第１画像処理のみを施した状態から第２画像処理のみを施した状態へ１５段階で徐々に遷移するようになっている。すなわち、カーソル５２が第２位置から第１６位置にある間、画像処理選択部１４ｃは第１画像処理および第２画像処理の両方を選択し、画像処理部１４ｄは当該選択された第１画像処理および第２画像処理の両方を撮像画像に対して行う（すなわち第１画像処理および第２画像処理を撮像画像に重ねがけする）。このとき画像処理部１４ｄは、カーソル５２が第１位置Ｐ１に近いほ
ど第１画像処理の比率を高くして第２画像処理の比率を低くし、カーソル５２が第１７位置Ｐ１７に近いほど第２画像処理の比率を高くして第１画像処理の比率を低くする。画像処理部１４ｄは、たとえば、カーソル５２が第５位置にあるときは、第１画像処理を７５％、第２画像処理を２５％の比率で、カーソル５２が第９位置にあるときは、第１画像処理を５０％、第２画像処理を５０％の比率で、カーソル５２が第１３位置にあるときは、第１画像処理を２５％、第２画像処理を７５％の比率で、撮像画像に施す。なお、カーソル５２が第１位置Ｐ１にあるとき撮像画像に第１画像処理のみを施すことは、第１画像処理を１００％の比率で施すことと同じである。また、カーソル５２が第１７位置Ｐ１７にあるとき撮像画像に第２画像処理のみを施すことは、第２画像処理を１００％の比率で施すことと同じである。また、たとえば、第１画像処理を７５％の比率で施すとは、撮像画像に第１画像処理のみを施したとき（すなわち第１画像処理を１００％施したとき）における撮像画像の変化の度合いを１００％としたときに、その度合いの７５％撮像画像が変化するように第１画像処理を施すことである。
【００２７】
カーソル５２が第０位置Ｐ０から１８０度離れた第３３位置Ｐ３３にある場合、画像処理選択部１４ｃは第３画像処理のみを選択し、画像処理部１４ｄは当該選択された第３画像処理のみを撮像画像に施す。したがって、カーソル５２が第１７位置Ｐ１７から第３３位置Ｐ３３へと時計周りに移動すると、表示部１７に表示されるスルー画は、第２画像処理のみを施した状態から第３画像処理のみを施した状態へと変化する。このとき、表示部１７に表示されるスルー画は、第２画像処理のみを施した状態から第３画像処理のみを施した状態へ１５段階で徐々に遷移するようになっている。すなわち、カーソル５２が第１８位置から第３２位置にある間、画像処理選択部１４ｃは第２画像処理および第３画像処理の両方を選択し、画像処理部１４ｄは当該選択された第２画像処理および第３画像処理の両方を撮像画像に施す。このとき画像処理部１４ｄは、カーソル５２が第１７位置Ｐ１７に近いほど第２画像処理の比率を高くして第３画像処理の比率を低くし、カーソル５２が第３３位置Ｐ３３に近いほど第３画像処理の比率を高くして第２画像処理の比率を低くする。
【００２８】
カーソル５２が第０位置Ｐ０から時計周りに２７０度離れた第４９位置Ｐ４９にある場合、画像処理選択部１４ｃは第４画像処理のみを選択し、画像処理部１４ｄは当該選択された第４画像処理のみを撮像画像に施す。したがって、カーソル５２が第３３位置Ｐ３３から第４９位置Ｐ４９へと時計周りに移動されると、表示部１７に表示されるスルー画は、第３画像処理のみを施した状態から第４画像処理のみを施した状態へと変化する。このとき、表示部１７に表示されるスルー画は、第３画像処理のみを施した状態から第４画像処理のみを施した状態へ１５段階で徐々に遷移するようになっている。すなわち、カーソル５２が第３４位置から第４８位置にある間、画像処理選択部１４ｃは第３画像処理および第４画像処理の両方を選択し、画像処理部１４ｄは当該選択された第３画像処理および第４画像処理の両方を撮像画像に施す。このとき画像処理部１４ｄは、カーソル５２が第３３位置Ｐ３３に近いほど第３画像処理の比率を高くして第４画像処理の比率を低くし、カーソル５２が第４９位置Ｐ４９に近いほど第４画像処理の比率を高くして第３画像処理の比率を低くする。
【００２９】
カーソル５２が第０位置Ｐ０の左隣の第６５位置Ｐ６５にある場合、画像処理選択部１４ｃは第１画像処理のみを選択し、画像処理部１４ｄは当該選択された第１画像処理を撮像画像に施す。したがって、カーソル５２が第４９位置Ｐ４９から第６５位置Ｐ６５へと時計周りに移動すると、表示部１７に表示されるスルー画は、第４画像処理のみを施した状態から第１画像処理のみを施した状態へと変化する。このとき、表示部１７に表示されるスルー画は、第４画像処理のみを施した状態から第１画像処理のみを施した状態へ１５段階で徐々に遷移するようになっている。すなわち、カーソル５２が第５０位置から第６４位置にある間、画像処理選択部１４ｃは第４画像処理および第１画像処理の両方を選択し、画像処理部１４ｄは当該選択された第４画像処理および第１画像処理の両方を撮像画像に施す。このとき画像処理部１４ｄは、カーソル５２が第４９位置Ｐ４９に近いほど第４画像処理の比率を高くして第１画像処理の比率を低くし、カーソル５２が第６５位置Ｐ
６５に近いほど第１画像処理の比率を高くして第４画像処理の比率を低くする。
【００３０】
また、カーソル５２が第６５位置Ｐ６５から第０位置Ｐ０へと時計周りに移動すると、表示部１７に表示するスルー画は、第１画像処理のみ施した状態から元画像の状態へと戻る。
【００３１】
このように、カーソル５２が第０位置Ｐ０から時計周りに１回転すると、撮像画像に施される画像処理が、元画像から、第１画像処理、第２画像処理、第３画像処理、第４画像処理の順で連続的に変更された後、再度第１画像処理に戻って、元画像に戻る。なお、カーソル５２が反時計回りに１回転する場合は、撮像画像に施される画像処理は、上述した時計周りに１回転する場合と逆の順で変化する。また、必ずしもカーソル５２が１回転しなくてもよく、たとえば、カーソル５２が時計周りに半周回転した後に反時計回りに移動して、画像処理の変化を戻すことも可能となっている。
【００３２】
以上のようにデジタルカメラ１では、ユーザがロータリーマルチセレクター１６ｃを回転操作するという簡単な操作で、撮像画像に施す画像処理として、第１画像処理〜第４画像処理の中から１つの画像処理を施すだけでなく、２つの異なる画像処理を比率を変えて施すこともできる。
【００３３】
次に、リング画像５０に対応付けられる第１画像処理〜第４画像処理の内容について、詳しく説明する。なお、本説明において、画像処理には、たとえば彩度やコントラスト、ホワイトバランスなどのパラメータを変えることで画作りを行う処理や、たとえばフィルタをかけてぼかしたり周辺を暗くしてトイカメラ風にしたりするなど画像効果をかける処理が含まれるとする。クリエイティブモードにおいて、制御部１４のシーン判別部１４ｅは、撮影シーンを判別するシーン判別処理を行う。リング画像５０には、判別した撮影シーンに応じた４つの画像処理が第１画像処理〜第４画像処理として設定される。すなわち、判別される撮影シーンによって、リング画像５０に設定される第１画像処理〜第４画像処理の内容が異なっている。
【００３４】
シーン判別部１４ｅによって判別される撮影シーンは、人物を撮影するシーンである「ポートレート」、被写体に接近して撮影するシーンである「接写」、風景を撮影するシーンである「風景」、「ポートレート」、「接写」、「風景」のいずれでもないシーンである「その他」の４種類である。なお、判別される撮影シーンの種類は一例であり、この他種々の撮影シーンを判別してもよい。撮影シーンの判別方法は、公知の方法を用いるものとする。シーン判別部１４ｅは、たとえば、撮像素子１２からの画像信号に基づく情報（輝度や色バランス（Ｒ／Ｇ比、Ｂ／Ｇ比）など）や、カメラ設定情報（撮像光学系１１の焦点距離や撮影倍率など）に基づいて撮影シーンを判別する。
【００３５】
図４は、撮影シーンに応じた第１画像処理〜第４画像処理の組合せを説明する図である。デジタルカメラ１では、撮影シーンごとに、それぞれの撮影シーンに適した４種類の画像処理が第１画像処理〜第４画像処理として予め設定されている。たとえば、撮影シーン「人物」用のリング画像５０ｐには、第１画像処理として「ポートレート」、第２画像処理として「モノクローム」、第３画像処理として「ハイキー」、第４画像処理として「クロスプロセス（Ｒ）」が設定される。撮影シーン「接写」用のリング画像５０ｎには、第１画像処理として「ビビッド」、第２画像処理として「ハイキー」、第３画像処理として「トイカメラ」、第４画像処理として「セレクトカラー」が設定される。撮影シーン「風景」用のリング画像５０ｇには、第１画像処理として「クロスプロセス（Ｂ）」、第２画像処理として「風景」、第３画像処理として「フィルターモノクロ（セピア）」、第４画像処理として「アヴァンギャルド」が設定される。撮影シーン「その他」用のリング画像
５０ｓには、第１画像処理として「アヴァンギャルド」、第２画像処理として「モノクローム」、第３画像処理として「トイカメラ」、第４画像処理として「クロスプロセス（Ｇ）」が設定される。なお、図４では説明のため、撮影シーンおよび第１画像処理〜第４画像処理の内容を示すテキストを記載しているが、実際の表示部１７の表示画面では、図２に示したように当該テキストは表示されず、リング５１とカーソル５２のみが表示される。すなわち、リング画像５０ｐ、５０ｎ、５０ｇ、５０ｓは、表示部１７の表示画面ではどの撮影シーンでも同じ画像として（すなわち同じ表示内容で）表示される。
【００３６】
「ポートレート」は、人物の肌をきれいに見せる画作りを行うための画像処理である。「モノクローム」は、白黒の濃淡のみの画作りを行うための画像処理である。「ハイキー」は、画面全体が明るく陰影の少ない画作りを行うための画像処理である。「クロスプロセス（Ｒ）」、「クロスプロセス（Ｇ）」、および「クロスプロセス（Ｂ）」は、クロスプロセス（ポジフィルムを使いネガ用の現像を行う銀塩写真の手法）を行ったような画像効果を得るための画像処理である。なお、「クロスプロセス（Ｒ）」では赤みの強い画像が得られ、「クロスプロセス（Ｇ）」では緑みの強い画像が得られ、「クロスプロセス（Ｂ）」では青みの強い画像が得られる。「ビビッド」は、コントラストが強調された色鮮やかな画作りを行うための画像処理である。「トイカメラ」は、トイカメラで撮影したような画像効果を得るための画像処理である。「セレクトカラー」は、特定の色だけを残してその他をモノクロに変化した画像効果を得るための画像処理である。「風景」は、自然や街並みなどの景観に適した画作りを行うための画像処理である。「フィルターモノクロ（セピア）」は、セピア色の濃淡のみの画作りを行うための画像処理である。「アヴァンギャルド」は、「ビビッド」よりもさらにコントラストと彩度を上げて独特の画作りを行うための画像処理である。
【００３７】
なお、第１画像処理および第２画像処理は、撮像画像に重ねがけし、且つ第１画像処理から第２画像処理へ、または第２画像処理から第１画像処理へと徐々に遷移するため、互いに重ねがけしやすく且つ遷移しやすい組合せであるように、各撮影シーンにおいて、第１画像処理および第２画像処理の組合せが予め設定されている。第２画像処理と第３画像処理、第３画像処理と第４画像処理、および第４画像処理と第１画像処理の組合せも、それぞれ同様である。
【００３８】
また、デジタルカメラ１では、カーソル５２の位置が移動すると、表示部１７に表示されるスルー画は、元画像からまず第１画像処理を施した状態に変化するようになっている。そのため、第１画像処理としては、各撮影シーンにおいて、たとえば、撮影シーンに最も適した画像処理や、元画像からの変化が顕著に現れる画像処理などが設定されている。たとえば、撮影シーン「人物」用のリング画像５０ｐには、第１画像処理として、人物の画像に最適な画像処理である「ポートレート」が設定されている。また、撮影シーン「風景」用のリング画像５０ｇには、第１画像処理として、元画像からの変化が顕著に現れる「クロスプロセス（Ｂ）」が設定されている。
【００３９】
また、デジタルカメラ１では、ユーザがロータリーマルチセレクター１６ｃを時計周りに操作する場合の方が反時計回りに操作する場合よりも多いことを想定し、たとえば、撮像画像に施す画像処理としておすすめの順に、第１画像処理〜第４画像処理が設定されている。たとえば、撮影シーン「人物」の場合、リング画像５０ｐ上を時計周りにカーソル５２が移動したときに、第１画像処理「ポートレート」、第２画像処理「モノクローム」、第３画像処理「ハイキー」、第４画像処理「クロスプロセス（Ｒ）」の順に画像処理が変化するように設定されている。これは、撮影シーン「人物」に対しては、「ポートレート」、「モノクローム」、「ハイキー」、「クロスプロセス（Ｒ）」の順で、撮像画像に施す画像処理としておすすめであることを示している。
【００４０】
なお、リング画像５０に第１画像処理〜第４画像処理として設定する画像処理の組合せの情報は、撮影シーンごとにデジタルカメラ１内の不図示のメモリに予め記憶されており、この情報とシーン判別結果に基づいて、第１画像処理〜第４画像処理がリング画像５０に設定される。
【００４１】
次に、クリエイティブモードにおいて、制御部１４が実行する処理の流れを説明する。図５は、クリエイティブモードで静止画を撮影する際の処理の流れを説明するフローチャートである。静止画撮影モードがクリエイティブモードに切り替えられると、制御部１４は、スルー画の表示を開始すると共に、不図示のメモリに記録された図５の処理を行うプログラムを起動して、図５の処理を開始する。
【００４２】
ステップＳ１において、表示制御部１４ａは、リング画像５０の表示を開始して、ステップＳ２へ進む。
【００４３】
ステップＳ２において、制御部１４のシーン判別部１４ｅは、撮影シーンを判別するシーン判別処理を開始して、ステップＳ３へ進む。なお、シーン判別処理は、所定時間おきに繰り返し行う。また、制御部１４は、シーン判別処理を適切に行うために、繰り返しＡＦ（Auto Focus）処理を行って、任意の被写体にピントを合わせる。
【００４４】
ステップＳ３において、制御部１４は、ロータリーマルチセレクター１６ｃが回転操作されたか否かを判定する。ロータリーマルチセレクター１６ｃが回転操作されていない場合は、制御部１４は、ステップＳ３を否定判定し、ステップＳ３の処理を繰り返すと共にシーン判別処理を継続する。一方、ロータリーマルチセレクター１６ｃが回転操作された場合には、制御部１４は、ステップＳ３を肯定判定し、ステップＳ４へ進む。
【００４５】
ステップＳ４において、シーン判別部１４ｅは、シーン判別処理を停止して、ロータリーマルチセレクター１６ｃが回転操作された時点で判別された撮影シーンを、撮影シーンの判別結果として確定する。そして制御部１４は、図４を用いて上述したように、当該確定した撮影シーンに応じた第１画像処理〜第４画像処理をリング画像５０に設定する。
【００４６】
また、制御部１４は、ステップＳ４で確定した撮影シーンに応じて撮像光学系１１の絞り値を制御する。本実施形態では、撮影シーンごとに、最適な絞り値が予め対応付けられてデジタルカメラ１内の不図示のメモリに記憶されている。たとえば、撮影シーン「人物」に対しては開放絞り値が対応付けられ、撮影シーン「風景」に対しては絞り値Ｆ８が対応づけられている。制御部１４は、上記確定した撮影シーンに対応付けられた絞り値となるように、撮像光学系１１の絞り値を制御する。これ以降、制御部１４は、スルー画用および静止画用の撮像処理において、絞り優先モードで露出制御（シャッタースピードやＩＳＯ感度などの制御）を行う。
【００４７】
ステップＳ５において、制御部１４は、上述したように、カーソル５２の位置に応じた画像処理を撮像画像に施す処理を行う。この処理の流れを、図６に示すフローチャートを用いて説明する。ステップＳ５１において、位置選択部１４ｂは、ロータリーマルチセレクター１６ｃの回転操作に応じて、カーソル５２（すなわち選択位置）を移動させ、ステップＳ５２へ進む。
【００４８】
ステップＳ５２において、画像処理選択部１４ｃは、上述の図２および図３を用いて説明したように、カーソル５２の位置に応じて撮像画像に施す画像処理を選択し、ステップＳ５３へ進む。
【００４９】
ステップＳ５３において、画像処理部１４ｄは、ステップＳ５２で選択された画像処理を撮像画像に施して、ステップＳ５４へ進む。
【００５０】
ステップＳ５４において、表示制御部１４ａは、画像処理部１４ｄによって画像処理が施された撮像画像を表示部１７に表示する。これにより、ステップＳ５３で選択された画像処理が施されたスルー画が表示部１７に表示される。その後、制御部１４は、図６の処理を終了して、図５のステップＳ６に進む。
【００５１】
ステップＳ６において、制御部１４は、シャッターボタン１６ａが半押し操作されたか否かを判定する。シャッターボタン１６ａが半押し操作されていない場合は、制御部１４は、ステップＳ６を否定判定してステップＳ５に戻る。すなわち、制御部１４は、シャッターボタン１６ａが半押し操作されるまでは、カーソル５２の位置に応じた画像処理（図６）を繰り返し行う。一方、シャッターボタン１６ａが半押し操作された場合には、制御部１４は、ステップＳ６を肯定判定し、ステップＳ７へ進む。
【００５２】
ステップＳ７において、画像処理選択部１４ｃは、シャッターボタン１６ａが半押し操作された時点のカーソル５２の位置に応じて設定される画像処理（すなわちその時点で撮像画像に施されている画像処理）を、静止画に施す画像処理として確定する。そして、表示制御部１４ａは、リング画像５０を非表示にして、ステップＳ８へ進む。
【００５３】
ステップＳ８において、制御部１４は、ピント位置を固定するシングルＡＦモードと動く被写体にピントを追従させるコンティニュアスＡＦモードとを自動で切り替える自動モード切替ＡＦモードでＡＦ処理を行い、ステップＳ９へ進む。自動モード切替ＡＦモードでは、シャッターボタン１６ａの半押し操作時点で被写体にピントを合わせ、ピント位置をいったん固定する。その後、被写体が動き出して、デジタルカメラ１と被写体の距離が変わった場合には、自動的にコンティニュアスＡＦモードに切り替わり、被写体にピントを合わせ続ける。
【００５４】
ステップＳ９において、シャッターボタン１６ａが全押し操作されたか否かを判定する。シャッターボタン１６ａが全押し操作されていない場合は、制御部１４は、ステップＳ９を否定判定しステップＳ９の処理を繰り返す。一方、シャッターボタン１６ａが全押し操作された場合には、制御部１４は、ステップＳ９を肯定判定し、ステップＳ１０へ進む。
【００５５】
ステップＳ１０において、制御部１４は、撮像素子１２に静止画用の撮像処理を行わせる。画像処理部１４ｄは、当該撮像処理により得られた撮像画像データに対して、ステップＳ７で確定された画像処理を施す。そして、制御部１４は、当該画像処理が施された撮像画像データを、静止画データとして記録媒体１８に記録して、ステップＳ１１へ進む。
【００５６】
ステップＳ１１において、制御部１４は、スルー画の表示と、リング画像５０の表示とを再度開始して、ステップＳ５に戻る。すなわち、いったん静止画撮影が終了した後においても、リング画像５０に設定される第１画像処理〜第４画像処理については、ステップＳ４での設定が保持される。またカーソル５２の位置については、ステップＳ５での設定が保持される。これは、静止画撮影が終了後すぐに同じ条件で次の静止画撮影を行いたい場合、すなわち連写撮影を行いたい場合に、リング画像５０に設定される第１画像処理〜第４画像処理やカーソル５２の位置が変化してしまうと異なる画像処理が施された静止画像が撮影されてしまうので、これを防ぐためである。
【００５７】
リング画像５０の表示中において、ユーザが現在リング画像５０に設定されている第１画像処理〜第４画像処理を変更したい場合には、操作部材１６のＯＫボタンを押下することで、第１画像処理〜第４画像処理のリセット操作を行えるようになっている。リング画像５０の表示中にＯＫボタンが押下されると、制御部１４は、リング画像５０における第１画像処理〜第４画像処理の設定を解除（リセット）する。また、位置選択部１４ｂは、カーソル５２の位置を初期位置（第０位置）Ｐ０に戻す。その後、制御部１４は図５に示す処理をステップＳ２から再度開始する。すなわち、シーン判別部１４ｅはシーン判別処理を開始する。その後、ロータリーマルチセレクター１６ｃが回転操作されると、制御部１４は、その回転操作の時点で判別された撮影シーンに応じた第１画像処理〜第４画像処理を、リング画像５０に設定する。
【００５８】
なお、クリエイティブモードにおいて、ロータリーマルチセレクター１６ｃの操作が一度も行われないままシャッターボタン１６ａが半押し操作された場合には、制御部１４は、リング画像５０を非表示にして、通常モードと同様の処理を行う。すなわち、制御部１４は、上記自動モード切替ＡＦモードで、ＡＦ処理を行う。その後、シャッターボタン１６ａが全押し操作されると、制御部１４は、撮像素子１２に静止画用の撮像処理を行わせ、得られた撮像画像データを静止画像データとして記録媒体１８に記録する。その後、制御部１４は、再度、図５のステップＳ１に戻って処理を開始する。
【００５９】
次に、図７に示すフローチャートを用いて、クリエイティブモードで動画を撮影する際の処理の流れを説明する。動画撮影モードがクリエイティブモードに切り替えられると、制御部１４は、スルー画の表示を開始すると共に、不図示のメモリに記録された図７の処理を行うプログラムを起動して、図７の処理を開始する。
【００６０】
制御部１４は、ステップＳ２１〜ステップＳ２５については、上述した図５のステップＳ１１〜Ｓ１５と同様の処理を行う。すなわち、画像処理選択部１４ｃは、動画撮影時においても、静止画撮影時と同様に、リング画像５０のカーソル５２の位置に応じて撮像画像に施す画像処理を選択する。
【００６１】
ステップＳ２６において、制御部１４は、録画ボタン１６ｂが押下されたか否かを判定する。録画ボタン１６ｂが押下されていない場合は、制御部１４は、ステップＳ２６を否定判定してステップＳ２５に戻る。すなわち、制御部１４は、録画ボタン１６ｂが押下されるまでは、カーソル５２の位置に応じた画像処理（図６）を繰り返し行う。一方、録画ボタン１６ｂが押下された場合には、制御部１４は、ステップＳ２６を肯定判定し、ステップＳ２７へ進む。
【００６２】
ステップＳ２７において、画像処理選択部１４ｃは、録画ボタン１６ｂが押下された時点のカーソル５２の位置に応じて設定される画像処理を、動画に施す画像処理として確定する。そして、表示制御部１４ａは、リング画像５０を非表示にして、ステップＳ２８へ進む。
【００６３】
ステップＳ２８において、制御部１４は、動画の撮影を開始して、ステップＳ２９へ進む。動画撮影において、画像処理部１４ｄは、ステップＳ２７で確定した画像処理を、撮影される動画の各フレーム画像データに施す。
【００６４】
ステップＳ２９において、制御部１４は、繰り返しＡＦ処理を行って任意の被写体にピントを合わせるＡＦモードでのＡＦ処理を開始して、ステップＳ３０へ進む。
【００６５】
ステップＳ３０において、制御部１４は、シャッターボタン１６ａが全押し操作されたか否かを判定する。シャッターボタン１６ａが全押し操作されていない場合は、制御部１４は、ステップＳ３０を否定判定しステップＳ３２へ進む。一方、シャッターボタン１６ａが全押し操作された場合には、制御部１４は、ステップＳ３０を肯定判定し、ステップＳ３１へ進む。
【００６６】
ステップＳ３１において、制御部１４は、動画撮影中の静止画撮影を行い、ステップＳ３２へ進む。このとき、画像処理部１４ｄは、シャッターボタン１６ａの全押し操作時点で撮像されたフレーム画像データに対して、ステップＳ２７で確定した画像処理を施す。制御部１４は、当該画像処理が施されたフレーム画像データを、静止画データとして不図示のメモリに一時的に記録する。
【００６７】
ステップＳ３２において、制御部１４は、録画ボタン１６ｂが押下されたか否かを判定する。録画ボタン１６ｂが押下されていない場合は、制御部１４は、ステップＳ３２を否定判定しステップＳ３０に戻る。録画ボタン１６ｂが押下されるまで、制御部１４は、ステップＳ３０〜Ｓ３２の処理を繰り返す。そして、録画ボタン１６ｂが押下されると、制御部１４は、ステップＳ３２を肯定判定し、ステップＳ３３へ進む。
【００６８】
ステップＳ３３において、制御部１４は、動画撮影を終了する。制御部１４は、ステップＳ２６で録画ボタン１６ｂが押下されてからステップＳ３２で再度録画ボタン１６ｂが押下されるまでに撮像され、ステップＳ２７で確定した画像処理を施した一連のフレーム画像データを、１つの動画データとして記録媒体１８に記録する。またステップＳ３１にて、不図示のメモリに一時的に記憶されていた静止画データを記録媒体１８に記録する。そして、制御部１４は、ステップＳ３４へ進む。
【００６９】
ステップＳ３４において、制御部１４は、スルー画の表示と、リング画像５０の表示とを再度開始して、ステップＳ２５に戻る。
【００７０】
なお、クリエイティブモードにおいて、ロータリーマルチセレクター１６ｃの操作が一度も行われないまま録画ボタン１６ｂが押下された場合には、制御部１４は、リング画像５０を非表示にして、通常モードと同様の処理を行う。すなわち、制御部１４は、動画撮影を開始し、繰り返しＡＦ処理を行って任意の被写体にピントを合わせるＡＦモードでのＡＦ処理を開始する。動画撮影中、シャッターボタン１６ａが全押し操作された場合、制御部１４は、動画撮影中の静止画撮影を行う。録画ボタン１６ｂが再度押下されると、制御部１４は、動画撮影を終了し、録画ボタン１６ｂが押下されてから再度録画ボタン１６ｂが押下されるまでに撮像され一連のフレーム画像データを、動画データとして記録媒体１８に記録する。その後、制御部１４は、再度、図７のステップＳ２１に戻って処理を開始する。
【００７１】
以上説明した実施の形態によれば、次の作用効果が得られる。
（１）デジタルカメラ１において、シーン判別部１４ｅは、撮像素子１２により撮像された撮像画像における撮影シーンが「人物」、「接写」、「風景」、および「その他」のいずれであるかを判別する。表示制御部１４ａは、シーン判別部１４ｅにより判別された撮影シーンが「人物」であると判別された場合には、「人物」に応じた第１画像処理〜第４画像処理（「ポートレート」、「モノクローム」、「ハイキー」、「クロスプロセス（Ｒ）」）の中から少なくとも１つの画像処理を選択するためのリング画像５０を表示部１７に表示する。画像処理選択部１４ｃは、リング画像５０に対するユーザ操作に応じて上記第１画像処理〜第４画像処理の中から少なくとも１つの画像処理を選択する。画像処理部１４ｄは、撮像画像に対して、画像処理選択部１４ｃにより選択された画像処理を行う。
なお、判別された撮影シーンが「接写」、「風景」、および「その他」である場合も同様である。このような構成により、デジタルカメラ１は、撮影シーンごとに、それぞれの撮影シーンに適した画像処理を選択するためのリング画像５０を表示できる。したがって、ユーザに、撮影シーンに適した画像処理の中から所望の画像処理を選択させることができる。
【００７２】
（２）デジタルカメラ１において、画像処理選択部１４ｃは、位置選択部１４ｂにより、撮影シーン「人物」用のリング画像５０ｐ上の第１位置Ｐ１が選択された場合は、第１画像処理「ポートレート」を選択する。第１７位置Ｐ７が選択された場合は、第２画像処理「モノクローム」を選択する。第１位置Ｐ１と第１７位置Ｐ１７の間の位置が選択された場合は、第１画像処理「ポートレート」および第２画像処理「モノクローム」の両方を選択する。画像処理選択部１４ｃにより第１画像処理「ポートレート」および第２画像処理「モノクローム」の両方が選択された場合、画像処理部１４ｄは、位置選択部１４ｂにより選択された位置が第１位置Ｐ１に近いほど第１画像処理「ポートレート」の比率を高くして第２画像処理「モノクローム」の比率を低くする。一方、位置選択部１４ｂにより選択された位置が第１７位置Ｐ１７に近いほど第２画像処理「モノクローム」の比率を高くして第１画像処理「ポートレート」の比率を低くする。なお、撮影シーン「接写」用のリング画像５０ｎ、撮影シーン「風景」用のリング画像５０ｇ、および撮影シーン「その他」用のリング画像５０ｓの場合も同様である。このような構成により、デジタルカメラ１では、位置選択部１４ｂによる選択位置（カーソル５２の位置）が第１位置Ｐ１から第１７位置Ｐ１７に移動するとき、表示部１７に表示されるスルー画は第１画像処理が施された状態から第２画像処理が施された状態へと滑らかに変化する。ユーザは、ロータリーマルチセレクター１６ｃを回転操作するという簡単な操作を行うだけで、第１画像処理および第２画像処理のうちいずれか１つの画像処理を撮像画像に施すだけでなく、これら２つの画像処理の比率を変えて撮像画像に重ねがけすることもできる。したがって、本実施形態のデジタルカメラ１は、従来のデジタルカメラにおいてはたとえば設定メニューが異なっているために同時に設定することのできなかった画像処理同士（たとえば画作りと画像効果）について、同時に設定して撮像画像に重ねがけすることができる。また、画像処理
を設定するための設定メニューが階層構造となっている場合はユーザ操作が複雑となってしまうのに対し、本実施形態のデジタルカメラ１は、１つのリング画像５０においてカーソル５２を移動させるだけでよいので、ユーザにとって操作が簡単である。また、本実施形態のデジタルカメラ１では、画像処理の変化をスルー画上でリアルタイムに確認することができるので、初心者のユーザであっても自分の好みの画像処理を簡単に見つけて設定することができる。
【００７３】
（３）デジタルカメラ１において、画像処理選択部１４ｃは、撮影シーン「人物」用のリング画像５０ｐにおいて、位置選択部１４ｂにより第１位置Ｐ１に隣接する第０位置Ｐ０が選択された場合には、第１画像処理〜第４画像処理（「ポートレート」、「モノクローム」、「ハイキー」、「クロスプロセス（Ｒ）」）のいずれも選択しない。したがって画像処理部１４ｄは、撮像画像に対して上記第１画像処理〜第４画像処理のいずれも行わない。なお、撮影シーン「接写」用のリング画像５０ｎ、撮影シーン「風景」用のリング画像５０ｇ、および撮影シーン「その他」用のリング画像５０ｓの場合も同様である。このような構成により、デジタルカメラ１では、位置選択部１４ｂによる選択位置（カーソル５２の位置）が第０位置Ｐ０である場合は、第１画像処理〜第４画像処理のいずれも施されていない状態の撮像画像、すなわち元画像が表示部１７に表示される。また、カーソル５２の位置が第０位置Ｐ０から第１位置Ｐ１に移動する際、表示部１７に表示される撮像画像が、元画像の状態から第１画像処理のみが施された状態へと変化することになる。これにより、ユーザにとって、画像処理の変化が開始されたことをわかりやすくすることができる。
【００７４】
（４）デジタルカメラ１において、撮影シーン「人物」用のリング画像５０ｐを、リング５１とカーソル５２とを表示する画像とした。なお、撮影シーン「接写」用のリング画像５０ｎ、撮影シーン「風景」用のリング画像５０ｇ、および撮影シーン「その他」用のリング画像５０ｓの場合も同様とした。これにより、カーソル５２がリング５１に沿って１回転分移動すると、元画像から第１画像処理、第２画像処理、第３画像処理、第４画像処理を経て第１画像処理に戻り、元画像に戻るという画像処理の変化がユーザにとって直観的にわかりやすい。したがって、ユーザは、ロータリーマルチセレクター１６ｃによる回転操作を直観的に行って、撮像画像に施す画像処理を簡単に設定することができる。
【００７５】
（変形例１）
上述した実施の形態では、ロータリーマルチセレクター１６ｃの回転操作に応じて、リング画像５０のカーソル５２を移動する例について説明した。しかしながら、これに限らなくてよく、たとえば、デジタルカメラ１にタッチパネルを設け、タッチパネルに対するタッチ操作に応じて、リング画像５０のカーソル５２を移動するようにしてもよい。
【００７６】
図８は、変形例１の場合において、クリエイティブモードで静止画を撮影する際の処理の流れを説明するフローチャートである。なお、図８に示す処理は、スルー画に対するタッチ操作に応じてシャッターを切る、いわゆるタッチシャッター機能を有する例を示している。静止画撮影モードがクリエイティブモードに切り替えられると、制御部１４は、スルー画の表示を開始すると共に、不図示のメモリに記録された図８の処理を行うプログラムを起動して、図８の処理を開始する。
【００７７】
ステップＳ１０１において、表示制御部１４ａは、上述した図５のステップＳ１と同様に、リング画像５０の表示を開始し、ステップＳ１０２へ進む。このとき表示部１７には、図９に示すように、リング画像５０およびカーソル５２に加え、表示切替ボタン７０が表示される。この表示切替ボタン７０は、リング画像５０を非表示にするためのボタンである。
【００７８】
ステップＳ１０２において、制御部１４は、上述した図５のステップＳ２と同様に、シーン判別処理を開始して、ステップＳ１０３へ進む。
【００７９】
ステップＳ１０３において、制御部１４は、タッチパネルを介して、リング画像５０に対するタッチ操作が行われたか否かを判定する。リング画像５０に対するタッチ操作が行われていない場合は、制御部１４は、ステップＳ１０３を否定判定し、ステップＳ１０３の処理を繰り返すと共にシーン判別処理を継続する。一方、ロータリーマルチセレクター１６ｃが回転操作された場合には、制御部１４は、ステップＳ１０３を肯定判定し、ステップＳ１０４へ進む。
【００８０】
ステップＳ１０４において、シーン判別部１４ｅは、シーン判別処理を停止して、リング画像５０がタッチ操作された時点で判別された撮影シーンを、撮影シーンの判別結果として確定する。そして制御部１４は、上述した図５のステップＳ４と同様に、判別された撮影シーンに応じた第１画像処理〜第４画像処理の設定と絞り制御を行って、ステップＳ１０５へ進む。
【００８１】
ステップＳ１０５において、制御部１４は、上述した図５のステップＳ４と同様に、リング画像５０のカーソル５２の位置に応じた画像処理を撮像画像に施す処理を行って、ステップＳ１０６へ進む。なお、変形例１の場合、制御部１４は、リング５１に対するタッチ操作が行われると、リング５１上でタッチ操作された位置に向かって所定の速度でカーソル５２を移動し、その位置でカーソル５２を停止する。カーソル５２の位置が移動している間、カーソル５２の位置に応じて撮像画像に施す画像処理が連続的に変更される。
【００８２】
ステップＳ１０６において、制御部１４は、タッチパネルを介して、表示切替ボタン７０に対するタッチ操作が行われたか否かを判定する。表示切替ボタン７０に対するタッチ操作が行われていない場合は、制御部１４は、ステップＳ１０６を否定判定して、ステップＳ１０６に戻る。すなわち、制御部１４は、表示切替ボタン７０が押下されるまでは、リング画像５０のカーソル５２の位置に応じた画像処理を繰り返し行う。一方、表示切替ボタン７０に対するタッチ操作が行われた場合には、制御部１４は、ステップＳ１０６を肯定判定し、ステップＳ１０７へ進む。
【００８３】
ステップＳ１０７において、画像処理選択部１４ｃは、表示切替ボタン７０がタッチ操作された時点のカーソル５２の位置に応じて設定される画像処理を、静止画に施す画像処理として確定する。そして、表示制御部１４ａは、リング画像５０を非表示にして、ステップＳ１０８へ進む。
【００８４】
ステップＳ１０８において、制御部１４は、タッチパネルを介して、スルー画に対するタッチ操作が行われたか否かを判定する。スルー画に対するタッチ操作が行われていない場合は、制御部１４は、ステップＳ１０８を否定判定しステップＳ１０８の処理を繰り返す。一方、スルー画に対するタッチ操作が行われた場合には、制御部１４は、ステップＳ１０８を肯定判定し、ステップＳ１０９へ進む。
【００８５】
ステップＳ１０９において、制御部１４は、上記タッチ操作された位置にピントが合うようにＡＦ処理を行って、ステップＳ１１０へ進む。
【００８６】
ステップＳ１１０において、制御部１４は、上述した図５のステップＳ１０と同様に、記録用の撮像処理を行い、得られた撮像画像データに対して、ステップＳ１０７で確定された画像処理を施して、静止画データとして記録媒体１８に記録して、ステップＳ１１１へ進む。
【００８７】
ステップＳ１１１において、制御部１４は、スルー画の表示と、リング画像５０の表示とを再度開始して、ステップＳ１０５に戻る。
【００８８】
なお、図８に示す処理では、表示切替ボタン７０によりリング画像５０を非表示にする例について説明したが、たとえば、タッチパネルを介して所定のジェスチャ操作（たとえば、リング画像５０を払うようなタッチ操作など）が行われると、リング画像５０を非表示にするようにしてもよい。また、たとえば、タッチパネルを介して、スルー画上で円を描くようなジェスチャ操作が行われると、リング画像５０を表示するようにしてもよい。
【００８９】
（変形例２）
ロータリーマルチセレクター１６ｃの回転操作に応じて、リング画像５０のカーソル５２を移動するデジタルカメラ１において、表示切替ボタン７０を設けるようにしてもよい。リング画像５０を表示させることで、スルー画の視認性が悪い場合、たとえば被写体の顔領域にリング画像５０が重なった場合などに、ユーザが表示切替ボタン７０を操作することによって、リング画像５０を非表示とする制御を行う。リング画像５０を非表示とした状態で、ロータリーマルチセレクター１６ｃを回転操作することで、撮像画像に施す画像処理を変更できるようにしてもよい。
【００９０】
（変形例３）
また、デジタルカメラ１に、デジタルカメラ１の筐体の傾きを検出する傾き検出センサ（たとえば、加速度センサなど）を設け、デジタルカメラ１を傾けるアクション操作に応じて、リング画像５０のカーソル５２を移動するようにしてもよい。この場合、制御部１４は、たとえば、ユーザによりデジタルカメラ１を右側が下となるように傾けられた場合はカーソル５２を時計周りに移動し、左側が下となるように傾けられた場合はカーソル５２を反時計周りに移動する。
【００９１】
（変形例４）
また、デジタルカメラ１に、フォーカスレンズを手動で移動するためのフォーカス環が設けられている場合は、フォーカス環に対する操作に応じて、リング画像５０のカーソル５２を移動するようにしてもよい。この場合、クリエイティブモードの間は、フォーカス環を、フォーカスレンズを移動する操作部材ではなく、リング画像５０のカーソル５２を移動する操作部材として機能させる。クリエイティブモードにおいて、制御部１４は、たとえば、フォーカス環が時計周りに回転操作された場合はカーソル５２を時計周りに移動し、フォーカス環が反時計回りに回転操作された場合はカーソル５２を反時計周りに移動する。
【００９２】
（変形例５）
デジタルカメラ１において、さらに、お気に入りの画像処理の設定を登録したり呼び出したりできる機能を設けるようにしてもよい。この場合、制御部１４は、たとえば図１０に示すように、リング画像５０のリング５１の内側にお気に入りＢＯＸと書かれたアイコン８０を表示する。ユーザは、ロータリーマルチセレクター１６ｃを回転操作して撮像画像に施す画像処理を所望の画像処理に変更したときに、タッチパネルを介して、カーソル５２をアイコン８０まで移動させるドラッグアンドドロップ操作を行う。すると、制御部１４は、その時点のカーソル５２の位置に応じて設定されていた画像処理を、お気に入りの画像処理設定として登録し、その設定内容を不図示のメモリに記憶する。たとえば、カーソル５２が「ポートレート」７５％且つ「モノクローム」２５％の位置にあるときに上記ドラッグアンドドロップ操作が行われると、制御部１４は、この「ポートレート」７５％且つ「モノクローム」２５％という設定を、お気に入りの画像処理設定として登録する。
【００９３】
また、ユーザが、タッチパネルを介して、アイコン８０に対してタッチ操作を行うと、制御部１４は、上述したようにして登録したお気に入りの画像処理設定をメモリから呼び出し、その画像処理設定に応じた位置にカーソル５２を表示すると共に、その画像処理設定に基づく画像処理を撮像画像に施す。なお、お気に入りの画像処理設定を複数登録できるようにしてもよく、その場合は、アイコン８０がタッチ操作されると、呼び出す画像処理設定を選択することができる選択画面を表示部１７に表示するようにしてもよい。また、現在の撮影シーンと同じ撮影シーンのときに登録された画像処理設定を呼び出すようにしてもよいし、現在の撮影シーンと同じかどうかにかかわらず、登録された画像処理設定を呼び出してもよい。また、お気に入りの画像処理設定として登録した内容を、後から調整できるようにしてもよい。
【００９４】
（変形例６）
デジタルカメラ１において、さらに、現在のカーソル５２の位置に応じて設定している（すなわち撮像画像に施している）画像処理の内容をユーザが確認できるように、その内容を示す情報を表示部１７に表示するようにしてもよい。たとえば、表示を切り替えるための操作部材(ディスプレイボタンなど)が操作されると、制御部１４は、図１１（ａ）に示すように、リング画像５０のリング５１の内側に、現在設定している画像処理の内容を示すテキスト情報９１（たとえば、「彩度＋１０、コントラスト＋５、ポートレート」など）を表示する。また、制御部１４は、図１１（ｂ）に示すように、リング画像５０のリング５１の内側に、現在設定している画像処理の内容を示すレーダーチャート９２を表示するようにしてもよい。図１１（ｂ）に示す例では、レーダーチャート９２は、正六角形のレーダーチャートであり、彩度、コントラスト、明るさ、色相、効果、シャープの６つの項目について数値を示している。ユーザは、このような現在設定している画像処理の内容を参照することで、リング画像５０の表示されない通常の撮影モードにおいても、画像処理の設定メニューなどを用いて上記画像処理の設定を再現することができる。
【００９５】
（変形例７）
上述した実施の形態では、デジタルカメラ１において予め用意された画像処理の組合せがリング画像５０に設定されているが、ユーザが、リング画像５０に設定する画像処理の組合せを自分で作成できるようにしてもよい。以下、ユーザがリング画像５０用に作成する画像処理の組合せをユーザセットと呼ぶ。
【００９６】
たとえば、図１２（ａ）に示すようなユーザセットの編集画面において、ユーザがリング画像５０に設定する４種類の画像処理の組合せを自由に選択できるようにしてもよいし、画像処理の内容を示す名前も自由に編集できるようにしてもよい。この場合、リング画像５０に設定できる画像処理について、予めデジタルカメラ１で用意されたものだけではなく、アプリケーションプログラムなどでデジタルカメラ１に追加していくようにしてもよい。
【００９７】
また、図１２（ｂ）に示すようなユーザセットの編集画面において、たとえば第１画像処理と第２画像処理とを両方行う場合の比率を自由に編集できるようにしてもよい。
【００９８】
また、ユーザ自身で作成したユーザセットの情報をインターネット上で公開し、他のユーザとやりとりできるようにしてもよい。たとえば、他のユーザが作成したユーザセットの情報をデジタルカメラ１にダウンロードして、図１２（ｃ）に示すような選択画面において、リング画像５０に設定するユーザセットとして選択できるようにしてもよい。
【００９９】
また、デジタルカメラ１に学習機能を設けるようにして撮像画像に施す画像処理の割合を自動的に変更されるようにしてもよい。このとき、学習機能はＯＮ状態とＯＦＦ状態とに切り替えられるようにする。学習機能がＯＮ状態の場合、制御部１４は、ユーザが撮影で使用した画像処理の履歴を不図示のメモリに記憶していき、使用頻度の高い画像処理の割合を高く設定するようにしてもよい。
【０１００】
（変形例８）
制御部１４は、カーソル５２が時計周りに移動する場合でも反時計回りに移動する場合でも撮像画像に施す画像処理の変化する順番が同じとなるように、カーソル５２の移動方向に応じてリング画像５０に設定する４種類の画像処理の順番を変化させるようにしてもよい。たとえば、撮影シーン「人物」の場合において、「ポートレート」、「モノクローム」、「ハイキー」、「クロスプロセス（Ｒ）」の順番が設定されているとする。制御部１４は、撮影シーンを確定した時点のロータリーマルチセレクター１６ｃの操作が時計周り方向である場合、「ポートレート」、「モノクローム」、「ハイキー」、「クロスプロセス（Ｒ）」の順で第１画像処理〜第４画像処理をリング画像５０に設定する。この場合、カーソル５２は時計周りに移動するので、「ポートレート」、「モノクローム」、「ハイキー」、「クロスプロセス（Ｒ）」の順で画像処理が変化することとなる。一方、制御部１４は、撮影シーンの確定をした時点のロータリーマルチセレクター１６ｃの操作が時
計周り方向である場合、「ポートレート」、「クロスプロセス（Ｒ）」、「ハイキー」、「モノクローム」、の順で第１画像処理〜第４画像処理をリング画像５０に設定する。この場合、カーソル５２は反時計周りに移動するので、「ポートレート」、「モノクローム」、「ハイキー」、「クロスプロセス（Ｒ）」の順で画像処理が変化することとなる。したがって、カーソル５２が時計周りに移動する場合でも反時計回りに移動する場合でも、撮像画像に施す画像処理の変化する順番が同じとなる。
【０１０１】
（変形例９）
上述した実施の形態では、撮影シーンが変わってリング画像５０に設定される第１画像処理〜第４画像処理の内容が変わっても、リング画像５０の表示内容自体は変化させない例について説明した。しかしながら、制御部１４は、撮影シーンが変わってリング画像５０に設定される第１画像処理〜第４画像処理の内容が変わった場合に、リング画像５０の色を変化させるようにしてもよい。また、制御部１４は、リング画像５０に設定される第１画像処理〜第４画像処理の内容を示すテキストをリング画像５０の周囲に表示するようにしてもよい。
【０１０２】
（変形例１０）
上述した実施の形態では、クリエイティブモードに切替えられるとリング画像５０を表示して、カーソル５２の位置に応じた画像処理を行う例について説明した。しかしながら、制御部１４は、通常の撮影モードにおいて、所定のユーザ操作が行われるとリング画像５０を表示して、カーソル５２の位置に応じた画像処理を行うようにしてもよい。
【０１０３】
（変形例１１）
上述した実施の形態では、リング画像５０のカーソル５２の移動に応じて、４種類の画像処理（第１画像処理〜第４画像処理）の中から、撮像画像に施す画像処理を選択するようにした。しかしながら、撮像画像に施す画像処理の選択肢の数はこれに限らなくてよく、２種類または３種類であってもよいし、５種類以上であってもよい。
【０１０４】
（変形例１２）
上述した実施の形態では、撮像画像に施す画像処理を選択するための画像として、リング画像５０を用いる例について説明した。しかしながら、リングに限らなくてもよく、たとえば、バーとカーソルとを有する画像を表示し、バー上におけるカーソルの位置に応じて、撮像画像に施す画像処理を選択するようにしてもよい。
【０１０５】
（変形例１３）
上述した実施の形態では、位置選択部１４ｂにより選択されている位置を示すマークとしてカーソル５２を表示する例について説明した。しかしながら、位置選択部１４ｂにより選択されている位置を示すマークはカーソル５２に限らなくてもよく、たとえば、アイコンなどであってもよい。またたとえば、リング画像５０の目盛の色を変えたり点滅させたりすることで、位置選択部１４ｂにより選択されている位置を示すマークとして機能させるようにしてもよい。
【０１０６】
（変形例１４）
上述した実施の形態では、デジタルカメラ１の制御部１４が不図示のメモリに記録されたプログラムを実行することで、上述した図５〜図７の処理を行う例について説明した。このプログラムは、製品出荷時に予め記録されていてもよいし、製品出荷後、メモリカードなどの記録媒体やインターネットなどのデータ信号を通じて提供されてもよい。図１３はその様子を示す図である。デジタルカメラ１は、メモリカードなどの記録媒体１８を介してプログラムの提供を受ける。また、デジタルカメラ１は通信回線１０１との接続機能を有する。コンピュータ１０２は上記プログラムを提供するサーバコンピュータであり、ハードディスク１０３などの記録媒体にプログラムを格納する。通信回線１０１は、インターネット、パソコン通信などの通信回線、あるいは専用通信回線などである。コンピュータ１０２はハードディスク１０３を使用してプログラムを読み出し、通信回線１０１を介してプログラムをデジタルカメラ１に送信する。すなわち、プログラムをデータ信号として搬送波を介して、通信回線１０１を介して送信する。このように、プログラムは、記録媒体やデータ信号（搬送波）などの種々の形態のコンピュータ読み込み可能なコンピュータプログラム製品として供給できる。
【０１０７】
（変形例１５）
上述した実施の形態では、デジタルカメラに本発明を適用する例について説明したが、これに限らなくてよく、この他の撮像装置（たとえばカメラ付き携帯端末など、撮像手段を有する電子機器）に本発明を適用するようにしてもよい。
【０１０８】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【０１０９】
１…デジタルカメラ、１１…撮像光学系、１２…撮像素子、１４…制御部、１４ａ…表示制御部、１４ｂ…位置選択部、１４ｃ…画像処理選択部、１４ｄ…画像処理部、１４ｅシーン判別部、１６…操作部材、１７…表示部、１８…記録媒体
【図１】
2018207531.tif 000003
【図２】
2018207531.tif 000004
【図３】
2018207531.tif 000005
【図４】
2018207531.tif 000006
【図５】
2018207531.tif 000007
【図６】
2018207531.tif 000008
【図７】
2018207531.tif 000009
【図８】
2018207531.tif 000010
【図９】
2018207531.tif 000011
【図１０】
2018207531.tif 000012
【図１１】
2018207531.tif 000013
【図１２】
2018207531.tif 000014
【図１３】
2018207531.tif 000015